【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
人から心臓、呼吸、生理学、および／またはその他の情報を検知するための１つまたはそれ以上の検知手段と、
前記検知された情報を解析するためのものであり、（一次的な）心臓、呼吸、生理学、および／またはその他の情報を処理して、二次的な心臓、呼吸、生理学、および／またはその他の情報を引き出すことが可能な処理手段と、
前記検知されかつ／または解析された情報を格納するためのメモリ手段と、
前記解析された情報の少なくとも一部分を送信するための通信手段と、
を備えた、監視対象者によって着用可能な監視装置であって、
前記検知された心臓、呼吸、生理学、および／またはその他の情報から取得した少なくとも１つの波形が実時間でデジタル化され、
前記検知されかつ／またはデジタル化された情報の解析が実時間で行なわれ、かつ前記人の福祉指標が実時間で算出され、
前記人の前記算出された福祉指標が前記通信手段によって送信され、かつ／または前記メモリ手段に格納され、
前記福祉指標が、前記メモリに格納された設定可能なデータからの閾値を用いて、前記一次的および／または二次的な心臓、呼吸、生理学、および／またはその他の情報から選択された少なくとも２つの形態の情報の分析かつ／または比較によって決定でき、前記閾値および設定可能なデータは、活動又は環境の型又は範囲に対して変更可能である、監視装置。
【請求項２】
前記１つまたはそれ以上の検知手段が少なくとも２つの検知手段を含む、請求項１に記載の監視装置。
【請求項３】
前記処理装置が、心臓、呼吸、生理学、および／またはその他の情報から選択された少なくとも２つの形式の情報を処理して、着用者の福祉指標に関連するデータを導出することができる、請求項１または２に記載の監視装置。
【請求項４】
前記監視装置が、
ａ）人の心臓電気図
ｂ）人の呼吸努力
ｃ）人の血中酸素濃度
ｄ）人の皮膚表面インピーダンス
ｅ）皮膚電極と人が正しく接触しているか否か
ｆ）人の皮膚表面温度
ｇ）特定の活動が人によって行なわれているか否か
ｈ）人が衝撃によって影響を受けたか否か
ｉ）人の身体方向
ｊ）人の動き
ｋ）人の自力歩行運動レベル
ｌ）期待されるデータの不在
ｍ）人の認知状態
ｎ）福祉の人自身の評価、および／または
ｏ）過度の重力が人に働いているか否か
のうちの１つまたはそれ以上に関連する心臓、呼吸、生理学、および／またはその他の情報を検出することができる、請求項１〜３のいずれか一項に記載の監視装置。
【請求項５】
前記閾値および設定可能なデータが特定の人に対して自動的に、手動的に、または遠隔的に変更可能でありあるいは学習され、または、前記分析および／または、心臓、呼吸、生理学、および／またはその他の情報と前記閾値とのの比較から導出可能である、請求項１〜４のいずれか一項に記載の監視装置。
【請求項６】
前記閾値と設定可能なデータが、人に関連する文脈情報の結果として変更可能であり、
前記文脈情報が
ａ）人が移動しているか否か
ｂ）人が衝撃による影響を受けたか否か
ｃ）人が特定の活動を実行しているか否か
ｄ）人の現在または最近の歩行レベルまたは活動レベル
ｅ）人が経験する環境因子
ｆ）人の認知状態
のうちの１つまたはそれ以上に関連し、
前記環境因子が、
ａ）周囲温度
ｂ）周囲圧力
ｃ）高度
ｄ）湿度
ｅ）人の相対運動
を含む、請求項１〜５のいずれか一項に記載の監視装置。
【請求項７】
次の状態：
ａ）高、低、または中間信号レート
ｂ）測定可能な信号レートの不在
ｃ）平均信号レートの変化率
ｄ）測定信号レートの平均
ｅ）測定信号レートの短期平均
ｆ）測定データ信号レートの長期平均
ｅ）波形の正常または異常特性
ｆ）測定信号レートの中間平均
ｇ）遷移のための時間閾値期間および／または平均窓
のうちの１つまたはそれ以上について福祉指標の遷移が発生する前にどの状態を測定しなければならないか、時間閾値の解析から設定可能なデータを提供することができる、請求項１〜６のいずれか一項に記載の監視装置。
【請求項８】
人が経験する追加文脈情報によって前記福祉指標を無効化するか、あるいは重症性を低減することができる、請求項１〜７のいずれか一項に記載の監視装置。
【請求項９】
前記検出感度が、前記監視装置によって検出される活動状態、自力歩行レベル、および／もしくは身体位置、ならびに／または人が経験する文脈情報に応答して、変更可能である、請求項１〜８のいずれか一項に記載の監視装置。
【請求項１０】
心臓情報の２つ以上の測定値を比較して、心臓信頼スコアを提供することができ、かつ／または、呼吸情報の２つ以上の測定値を比較して、呼吸信頼スコアを提供することができる、請求項１〜９のいずれか一項に記載の監視装置。
【請求項１１】
心臓信頼スコアおよび呼吸信頼スコアを、個々の信号品質または文脈情報に関係するデータと共に解析して、総合信頼スコアを提供することができる、請求項１０に記載の監視装置。
【請求項１２】
前記福祉指標が、時間閾値を超えたバイタルサインの不在に引き続く、バイタルサインの不在または実質的不在の状態を含む、請求項１〜１１のいずれか一項に記載の監視装置。
【請求項１３】
前記監視装置が、その福祉指標の重症度、および１つまたはそれ以上の心臓または呼吸尺度の不在または実質的不在の検出後に福祉指標を示すための時間閾値を変更することができる、請求項１〜１２のいずれか一項に記載の監視装置。
【請求項１４】
人が最初に正常福祉指標または低レベル異常福祉指標を有するときに、異常福祉指標または進行性の異常福祉指標の決定後に、第２の心臓および／または呼吸の測定が自動的にトリガ可能である、請求項１〜１３のいずれか一項に記載の監視装置。
【請求項１５】
二次福祉指標が熱的情報および／または神経情報の解析によって提供される、請求項１〜１４のいずれか一項に記載の監視装置。
【請求項１６】
監視ステーションが着用者に行動を実行するように要求することによって、人の認知状態を手動的に決定可能である、請求項１５に記載の監視装置。
【請求項１７】
視覚的、聴覚的、振動、または他の感覚的手段が、人に行動を実行するように自動的に要求することによって、可変または設定期間、異常福祉指標、または人への過度のＧ衝撃の証拠後に、着用者の認知状態を自動的に決定することができる、請求項１５または１６に記載の監視装置。
【請求項１８】
人が要求に応答して行動を実行することによって、異常福祉指標は取消し可能もしくは正常方向に移動可能であるか、またはその人の福祉の悪化が示されうる、請求項１６または１７に記載の監視装置。
【請求項１９】
情報のサブセットしか監視ステーションに通信されない場合は簡略開示が可能であり、デジタル化された情報が全部監視ステーションに通信される場合、もしくは、心臓、呼吸、生理学、および／またはその他の情報の波形の一部もしくは全部が監視ステーションに通信される場合は、完全開示が可能である、請求項１〜１８のいずれか一項に記載の監視装置。
【請求項２０】
異常福祉指標の決定によって完全開示を自動的に起動することができ、または、人によって、または監視ステーションによって完全開示を手動的に起動させることができる、請求項１９に記載の監視装置。
【請求項２１】
サブセットが、
ａ）一次および／または二次福祉指標
ｂ）心拍数および／または呼吸数
ｃ）皮膚温度
ｄ）運動および／または活動レベル
ｅ）身体方向
ｆ）利用者識別情報
ｇ）ユニット識別情報
ｈ）ユニット自己検査診断、および／または
ｉ）信頼スコア
のうちの１つまたはそれ以上を含む、請求項１９または２０に記載の監視装置。
【請求項２２】
前記監視装置および／または監視ステーションと通信するための、人が着用可能な要求および応答装置をさらに含む、請求項１〜２１のいずれか一項に記載の監視装置。
【請求項２３】
人の福祉の評価が、着用者の個人情報、環境情報、および／または活動情報の監視ステーション、いずれかの中間機器、および／または監視装置による送信および格納によって最適化される、請求項１〜２２のいずれか一項に記載の監視装置。
【請求項２４】
さらなる心臓、呼吸、生理学、および／またはその他の情報の検出用の接続可能な外部センサをさらに含む、請求項１〜２３のいずれか一項に記載の監視装置。
【請求項２５】
人の動きの存在を検出し、動きの証拠を使用して心臓信号受信器の帯域幅を低減し、信号対雑音比を改善し、性能を改善することができ、および／または、監視装置が、人の動きの存在および身体位置を検出し、動きの証拠および身体位置を使用して呼吸信号受信器の信号利得、帯域幅、および感度を変更し、性能を改善することができる、請求項１〜２４のいずれか一項に記載の監視装置。
【請求項２６】
処理手段、メモリ手段、および通信手段を備えた着脱自在な解剖学的形状のセンサ電子モジュールと、
前記センサ電子モジュールを人に知覚／検知付近で取り付けるか保持することができ、かつ１つまたはそれ以上の検知手段を備えた、人が着用可能なコネクタハーネスおよび／または他の支持体と、を備えた、監視対象者が着用可能な監視装置であって、
人から心臓、呼吸、生理学、および／またはその他の情報を検知し、かつ
前記検知された情報の実時間解析を実行し、前方送信／通信のために人の実時間福祉指標を算出する、監視装置。
【請求項２７】
前記１つまたはそれ以上の検知手段が少なくとも２つの検知手段を含む、請求項２６に記載の監視装置。
【請求項２８】
前記監視装置が皮膚温度を検出するための手段を含み、前記検出するための手段がサーミスタである、請求項２６または２７に記載の監視装置。
【請求項２９】
動き、身体位置、および／または衝撃を検出するための手段を含み、前記検出のための手段が加速度計である、請求項２６〜２８のいずれか一項に記載の監視装置。
【請求項３０】
胸部拡張センサをさらに含み、前記胸部拡張センサが可変歪みセンサである、請求項２６〜２９のいずれか一項に記載の監視装置。
【請求項３１】
利用者の血中酸素レベルを検出するための手段を含み、前記血中酸素レベルを検出するための手段がパルス酸素濃度解析用の反射型センサである、請求項２６〜３０のいずれか一項に記載の監視装置。
【請求項３２】
前記センサ電子モジュールが、
ａ）人の心臓電気図
ｂ）人の呼吸努力
ｃ）人の血中酸素濃度
ｄ）人の皮膚表面インピーダンス
ｅ）皮膚電極と人が正しく接触しているか否か
ｆ）人の皮膚表面温度
ｇ）特定の活動が人によって行なわれているか否か
ｈ）人が衝撃によって影響を受けたか否か
ｉ）人の身体方向
ｊ）人の動き
ｋ）人の自力歩行運動レベル
ｌ）期待されるデータの不在
ｍ）人の認知状態
ｎ）福祉の人自身の評価、および／または
ｏ）過度の重力が人に働いているか否か
のうちの１つまたはそれ以上に関連する情報を測定し、処理し、解析し、かつ／または前方送信することができる、請求項２６〜３１のいずれか一項に記載の監視装置。
【請求項３３】
前記センサ電子モジュールが、人の胸部に適合するように解剖学的形状を成すか、または、人の胸骨および上腹部の領域にある、請求項２６〜３２のいずれか一項に記載の監視装置。
【請求項３４】
前記着用可能な監視装置が３つの皮膚電極を含む、請求項２６〜３３のいずれか一項に記載の監視装置。
【請求項３５】
前記コネクタハーネスおよび／または他の支持体が
ａ）粘着性パッド
ｂ）ヨーク
ｃ）衣料品、または
ｄ）標準心電図用接着皮膚電極
のうちの１つまたはそれ以上を含む、請求項２６〜３４のいずれか一項に記載の監視装置。
【請求項３６】
前記粘着性パッドが人の胸部に適合するように解剖学的形状に形作られており、または、人の胸骨および上腹部の領域にある、請求項３５に記載の監視装置。
【請求項３７】
前記センサ電子モジュールが、
有線コンピューティング端末
補助センサ
補助パルス酸素濃度測定モジュール、および／または
電源
のうちの１つまたはそれ以上の接続を可能にする電気相互接続を含んでいるか、または、補助センサ、監視機器、送信機器、またはいずれかの補助電気機器の接続用の、要求および応答装置の形式のデータリンクを含む、請求項２６〜３６のいずれか一項に記載の監視装置。
【請求項３８】
１人またはそれ以上の人を監視するための監視システムであって、
請求項１〜２５のいずれか一項に記載、または請求項２６〜３７のいずれか一項に記載の、前記または各監視対象者が着用可能な監視装置と、
１つまたはそれ以上の監視ステーションと、を備え、
前記または各監視装置が前記１つまたはそれ以上の監視ステーションと通信し、
前記１つまたはそれ以上の監視ステーションが、前記または各監視装置から算出された福祉指標を受信かつ監視して、各監視対象者の健康状態を評価する、監視システム。
【請求項３９】
設定可能なパラメータを監視装置内で「訓練モード」中に決定し、調整し、記録し、かつ格納し、監視装置が訓練モードでないときに使用することができる、請求項３８に記載の監視システム。